(57)【要約】【課題】壁面に固定された吊下げ部材に、平面型で長方形状の表示装置を吊下げる際に、簡単な構成でかつ縦長画面と横長画面とをユーザが容易に切り換えることが可能な表示装置を提供する。【解決手段】壁面に固定された吊下げ部材(回転プ―リー３０)に、平面型で長方形状の表示装置１０を吊下げる。表示装置１０の背面部には、表示装置１０の各辺と略平行な辺を有する矩形Ａの対角の頂点位置に、固定部材１１，１２をそれぞれ設け、この固定部材１１，１２に所定長さのワイヤ２０の両端を固定している。また固定部材１１，１２が位置する対角と異なる対角の一方の頂点位置にワイヤ２０の位置を規制する規制部材１３を設けている。これにより、表示装置１０を横置きの状態と縦置きの状態とを変更可能にしている。【選択図】図２
2012220715.tif 000002
【特許請求の範囲】
【請求項１】
壁面に固定された吊下げ部材に吊下げ可能な平面型で長方形状の表示装置であって、少なくとも該表示装置の背面部における、該表示装置の各辺と略平行な辺を有する矩形の対角の頂点位置に、所定長さのワイヤの両端をそれぞれ固定可能な固定部材を備えるとともに、前記対角と異なる対角の一方の頂点位置に前記ワイヤの位置を規制する規制部材を備えたことを特徴とする表示装置。
【請求項２】
前記ワイヤが前記矩形の隣接する２辺の長さの和よりも長いことを特徴とする請求項１に記載の表示装置。
【請求項３】
表示装置の背面部に、少なくとも前記固定部材と規制部材を覆うワイヤ外れ防止プレートを、前記背面部から離間させかつ前記規制部材に接した状態で設けたことを特徴とする請求項１または２に記載の表示装置。
【請求項４】
前記矩形が正方形であることを特徴とする請求項１から３のいずれか１に記載の表示装置。
【請求項５】
前記矩形として、正方形、または、表示装置の長辺と平行な長辺を有する長方形、または、表示装置の短辺と平行な長辺を有する長方形のいずれか一つを選択可能としたことを特徴とする請求項１から３のいずれか１に記載の表示装置。
【発明の詳細な説明】
【技術分野】
【０００１】
本発明は、壁面に固定された吊下げ部材に吊下げ可能な平面型で長方形状の表示装置に関する。
【背景技術】
【０００２】
近年、携帯可能なポータブルテレビが広く利用されている。このポータブルテレビは、手で持って利用される場合もあるし、スタンド等で立てかけて利用される場合もある。さらに、ポータブルテレビは、壁に掛けて使用される場合もある。
【０００３】
特許文献１には、壁掛けテレビの左右方向の角度調整範囲を大きくする技術が開示されている。この技術では、壁掛けテレビとほぼ同じ大きさのベース板が壁面に取り付けられ、壁掛けテレビの背面の左右端には、磁石からなる軸受け部と着脱可能な磁石からなる軸部が取り付けられる。そして、左端あるいは右端のいずれかの軸部を軸受け部から外し、軸受け部と吸着しているもう一方の軸部を支点にして壁掛けテレビを回転させることにより、壁掛けテレビの左右方向の角度調整範囲を大きくする。
【０００４】
また、ポータブルテレビの中には、ディスプレイが回転することにより、通常の映像を表示する場合はその映像をユーザが横長画面で見られるようにし、また、ポートレートなどの静止画を表示する場合はその静止画をユーザが縦長画面で見られるようにしたものもある。
【０００５】
特許文献２には、このような回転動作を一挙動で可能とする薄型表示装置が開示されている。この薄型表示装置では、略長方形の表示面を持つ薄型の表示部をスタンド部が支持し、表示部の背面の中央部分に設けられた水平回転軸が、表示部をスタンド部に対して少なくとも９０度回転可能となるように保持する。
【先行技術文献】
【特許文献】
【０００６】
【特許文献１】特開２００７−３３５９２９号公報
【特許文献２】特開２００４−３０２４９１号公報
【発明の概要】
【発明が解決しようとする課題】
【０００７】
しかしながら、上述した特許文献１の技術は、ディスプレイが回転して横長画面と縦長画面とが切り替わる壁掛けテレビに適用されるものではない。また、壁掛けテレビを壁から取り外した場合に、壁に残されるベース板がむき出しになり、美感上良くないし、邪魔になってしまう。さらに、ベース板を壁面に取り付ける作業も容易ではない。ポータブルテレビを壁に掛ける場合、一般には、ＶＥＳＡ（Video Electronics Standards Association）規格に対応した取り付け金具が用いられるが、ＶＥＳＡ規格においても同様の課題がある。
【０００８】
また、上述した特許文献２の技術は、表示部が少なくとも９０度回転するものであるが、その表示部はスタンド部により支持されるものであり、壁からつり下げられるものではない。壁から表示部をつり下げる場合、表示部側、壁側にそれぞれ設けられる壁掛け用の器具はできるだけ簡易な仕組みのものが望まれるが、特許文献２の技術は、このような要求に応えるものではない。
【０００９】
本発明は、上記課題に鑑み、横長画面と縦長画面とをユーザが切り替えることを容易にしつつ、壁面への取り付けを簡易な仕組みで実現することが可能な表示装置を提供することを目的とする。
【課題を解決するための手段】
【００１０】
上記課題を解決するために、本発明の第１の技術手段は、壁面に固定された吊下げ部材に吊下げ可能な平面型で長方形状の表示装置であって、少なくとも該表示装置の背面部における、該表示装置の各辺と略平行な辺を有する矩形の対角の頂点位置に、所定長さのワイヤの両端をそれぞれ固定可能な固定部材を備えるとともに、前記対角と異なる対角の一方の頂点位置に前記ワイヤの位置を規制する規制部材を備えたことを特徴としたものである。
【００１１】
第２の技術手段は、第１の技術手段において、前記ワイヤが前記矩形の隣接する２辺の長さの和よりも長いことを特徴としたものである。
【００１２】
第３の技術手段は、第１または２の技術手段において、表示装置の背面部に、少なくとも前記固定部材と規制部材を覆うワイヤ外れ防止プレートを、前記背面部から離間させかつ前記規制部材に接した状態で設けたことを特徴としたものである。
【００１３】
第４の技術手段は、第１から３のいずれか１の技術手段において、前記矩形が正方形であることを特徴としたものである。
【００１４】
第５の技術手段は、第１から３のいずれか１の技術手段において、前記矩形として、正方形、または、表示装置の長辺と平行な長辺を有する長方形、または、表示装置の短辺と平行な長辺を有する長方形のいずれか一つを選択可能としたことを特徴としたものである。
【発明の効果】
【００１５】
本発明によれば、少なくとも該表示装置の背面部に、所定長さのワイヤの両端をそれぞれ固定可能な２つの固定部材と、ワイヤに当接可能な１つの規制部材を設けることにより、表示装置を壁面に固定された吊下げ部材に吊下げた状態で、縦長画面と横長画面とをユーザが切り替えることが容易になり、表示装置の壁面への取り付けを簡易な仕組みで実現することができる。
【図面の簡単な説明】
【００１６】
【図１】本発明に係る表示装置の設置位置の関係を説明するための図である。
【図２】本発明に係る表示装置の背面部の一例を示す図である。
【図３】本発明に係る表示装置に用いるワイヤの一例を示す図である。
【図４】本発明に係る表示装置の固定部材の一例を示す図である。
【図５】本発明に係る表示装置の規制部材の一例を示す図である。
【図６】本発明に係る表示装置において、ワイヤ外れ防止プレートを設けた例を示す図である。
【図７】本発明に係る表示装置の設置方向の変更方法について説明するための図である。
【図８】本発明に係る表示装置における固定部材と当接部材の配置の一例を示す図である。
【図９】本発明に係る表示装置における固定部材と当接部材の配置の他の一例を示す図である。
【図１０】本発明に係る表示装置における固定部材と当接部材の配置のさらに他の一例を示す図である。
【図１１】本発明に係る表示装置における固定部材と当接部材の配置のさらに他の一例を示す図である。
【発明を実施するための形態】
【００１７】
以下、図面を参照しながら、本発明の表示装置に係る好適な実施の形態について説明する。
図１は、本発明に係る表示装置の設置位置の関係を説明するための図である。図１に示すように、表示装置１０は、平面型で長方形状の表示装置である。表示部の比率は、映像のサイズフォーマットであるスタンダードモードである４：３またはハイビジョンモードである１６：９が一般的であるが、これに限るものではない。この表示装置１０は、例えば、通常の映像である放送波等からの動画映像を表示する場合は、図１（Ａ）で示すようにその映像をユーザが横長画面で見られるように、また、ポートレートのような縦長で撮影した静止画を表示する場合は、図１（Ｂ）に示すようにその静止画をユーザが縦長画面で見られるように、壁面への設置位置が変更可能となっている。
【００１８】
図２は、本発明に係る表示装置の背面部の一例を示す図であり、図３は表示装置を吊るすワイヤの一例を示す図である。また、図４，５はそれぞれ固定部材と規制部材の一例を示す図である。
【００１９】
表示装置１０の壁面への取り付けを可能にするために、表示装置１０の背面部に、図２に示すように、ワイヤ２０の両端をそれぞれ取り付けるための２つの固定部材１１、１２と、ワイヤ２０に当接してワイヤの位置を規制するための規制部材１３を設けている。ここで固定部材１１，１２は、長方形状の表示装置２０の各辺と略平行な辺を有する矩形Ａの対角の頂点位置に設けており、この固定部材１１，１２に、後述するワイヤ２０の両端が固定可能となっている。また、矩形Ａの固定部材１１，１２を設けた対角の頂点と異なる対角の一方の頂点位置に、ワイヤ２０の位置を規制する規制部材１３を設けている。
【００２０】
図２は表示装置１０を横長画面として横置きに設置したものであり、表示装置１０は固定部材１２，１３にその両端が固定されたワイヤ２０によって吊り下げられる。その際、ワイヤ２０の表示装置の中心１４側を規制部材１３の外側部分に当接させ、ワイヤ２０を規制部材１３によって位置決めすることにより、表示装置１０を横長画面の状態で傾くことなく設置することができる。このことは、図１（Ｂ）で示した縦置きの場合も同様である。
【００２１】
矩形Ａにおける規制部材１３の位置は、より詳しくは、表示装置１０を横長に設置した際に、上側になる矩形Ａの辺Ｌ１と、表示装置１０を縦長に設置した際に上側になる矩形Ａの辺Ｌ２との頂点位置に設けられる。また、２つの固定部材１１，１２は、それぞれ辺Ｌ１，Ｌ２における規制部材１３を設けた頂点の他の頂点位置に設けられる。なお、固定部材１１，１２、規制部材１３の配置関係は、ＶＥＳＡ規格で定められた取付ピッチに対応したものであってもよい。
【００２２】
ここで、ワイヤ２０の固定部材１１，１２に対する固定構造として、種々の既知の固定構造を利用することが可能である。例えば、ワイヤとして、図３に示すようなワイヤ２０の両端に取付穴２２を有する取付金具２１を固着したものを用いることができる。そして、固定部材１１，１２を図４に示すようなボルト構造とし、ワイヤ２０の取付金具２１の取付穴２２に固定部材１１，１２を通した状態で、固定部材１１，１２を表示装置１０の背面部に取り付けるようにしておけばよい。なお、ワイヤ２０の長さは辺Ｌ１とＬ２の長さの和よりも長いものが用いられる。
【００２３】
規制部材１３は、先述したように、表示装置１０を壁面に横長あるいは縦長に設置した際に、ワイヤ２０に当接し、ワイヤ２０の位置を規制するために設けられる。規制部材１３の構造は、表示装置１０を壁面とほぼ平行に設置した際にワイヤ２０に当接する構造のものであればよく、種々のものを用いることができる。図５で示す規制部材１３はその一例であり、図４で示した取付部材１１，１２と同様のボルト構造を有している。これにより、固定部材１１，１２と規制部材１３との部品の共通化を図ることができる。
【００２４】
図２には、壁面５０に固定された吊り下げ部材としての回転プーリー３０が示されている。この回転プーリー３０は、ワイヤ２０を引っ掛けて表示装置１０を吊下げるフックとして機能する。また、回転プーリー３０は、後述するように、表示装置１０の回転に合わせて回転する。これにより、ユーザは表示装置１０の設置方向の変更を容易に行うことができる。
【００２５】
ここで、表示装置１０が地震等で揺れた場合に、ワイヤ２０が規制部材１３から外れ、表示装置１０が傾いたり落下したりするおそれがある。このため、ワイヤ２０が規制部材１３から外れないようにすることが望ましい。図６は、本発明に係る表示装置において、ワイヤ外れ防止プレートを設けた例を示す図であり、図６（Ａ）は表示装置を背面側から見た図であり、図６（Ｂ）は図６（Ａ）を紙面の右側方向から見た図である。
【００２６】
図６に示す表示装置では、表示装置１０の背面部に、矩形Ａ全体を覆うワイヤ外れ防止プレート４０を、表示装置１０の背面部から離れた位置でかつ規制部材１３に接した状態で設けている。これにより、図６（Ｂ）に示すように、ワイヤ２０は表示装置１０の背面部とワイヤ外れ防止プレート４０の間に位置するようなり、図６（Ａ）に示す状態で表示装置１０が揺れたとしても、ワイヤ２０がワイヤ外れ防止プレート４０を超えて外れない限り、ワイヤ２０は規制部材１３から外れることがなくなり、表示装置１０の傾きや落下を防止することができる。
【００２７】
図７は、本発明に係る表示装置の設置方向の変更方法について説明するための図である。図６（Ａ）の表示装置の横置きの状態から図７（Ｂ）に示す縦置きの状態に設置方向を変更する場合は、先述したようにワイヤ２０を回転プ―リー３０に掛けた状態で、表示装置１０を回転させることにより、表示装置の設置方向を変更することが可能となる。
【００２８】
なお、表示装置１０の吊下げ部材として回転プーリーを用いることにより、表示装置１０を横置き状態から縦置き状態にあるいは縦置き状態から横置き状態に設置方向を変更する際に、回転プ―リー３０が回転するため、回転プ―リー３０に対するワイヤ２０の相対位置を変えることができる。このため、表示装置１０を持ち上げる必要がなく、非力な者でも簡単にその設置方向を変更することが可能となる。
【００２９】
また、表示装置１０を回転させている際も、少なくとも図７（Ａ）のＸ１、Ｘ２で示すように、ワイヤ２０には、ワイヤ外れ防止プレート４０と表示装置１０の背面部との間に位置する部分が常に存在するため、ワイヤ２０が表示装置１０から大きく外れることがなく、安全に設置方向変更することができる。
【００３０】
ここで、回転プーリー２０は、図６（Ｂ）に示すようにワイヤ２０をカバーする脱落防止カバー３１を備えていてもよい。脱落防止カバー３１は、回転プ―リー３０の常に上方に位置するように壁面５０に対して動かないように固着される。また、脱落防止カバー３１は、ある程度の力が加わらないと動かないように調整されている。脱落防止カバー３１が水平となるまでユーザが脱落防止カバー３１を倒すことにより、ワイヤ２０が回転プーリー３０から不意に外れ、表示装置１０が壁面５０から落下してしまうことを防止することができる。
【００３１】
また、脱落防止カバー３１は、回転プーリー３０の回転をロックする機能も有している。具体的には、ユーザが脱落防止カバー３１を倒して脱落防止カバー３１で回転プーリー３０を押さえつけることにより、回転プーリー３０の回転をロックする。これにより、表示装置１０の重量バランスが左右非対称であったとしても、表示装置１０が壁面５０から斜めに吊下がることを防止することができる。なお、回転プーリー３０の回転をロックする方法はこれに限定されず、他の方法でロックしてもよい。
【００３２】
また、本実施例ではワイヤ外れ防止プレート４０の形状を矩形Ａの面積よりも広い略矩形状とし、矩形Ａの全体を覆うようにしているが、ワイヤ外れ防止プレート４０はワイヤ２０が表示装置１０の背面部から離れないようにする機能を有しておればよく、少なくとも固定部材１１，１２と規制部材１３を覆う形状であれば三角形状であってもＬ字状であってもよい。
【００３３】
次に、本発明に係る表示装置における固定部材１１，１２と当接部材１３との配置関係について説明する。
図８は、長方形状の表示装置１０に対して、その背面部において表示装置の長辺と平行な長辺を有しかつ表示装置の短辺と平行な短辺を有する長方形を矩形Ａとする場合に、矩形Ａの対向する頂点位置にある固定部材１１，１２にワイヤ２０を取り付けた場合を示している。例えば、矩形Ａを横４４ｃｍ、縦２５ｃｍとし、対向する頂点位置の固定部材１１，１２に長さ８０ｃｍのワイヤを取り付けた構成とした場合、回転プ―リー３０から表示装置の中心１４までの距離は、図８（Ａ）に示す横置きの場合に２９ｃｍ、図８（B）に示す縦置きの場合に３５ｃｍとなる。このため、縦置きの方が横置きよりも画面の中心１４が下がってしまい、視聴しにくく感じることがある。
【００３４】
図９は、長方形状の表示装置１０に対して、その背面部の長辺と短辺に平行な正方形を矩形Ａ’とする場合に、矩形Ａ’の対向する頂点位置にある固定部材１１’，１２’にワイヤ２０を取り付けた場合を示している。この場合、回転プ―リー３０から表示装置の中心１４までの距離は、図９（Ａ）に示す横置きの場合と図９（Ｂ）に示す縦置きの場合とで同じにすることができる。また、表示装置の中心１４の位置が変わらないため、縦置きと横置きの設置方向を変更する際に要する力も少なくてすむ。
【００３５】
図１０は、長方形状の表示装置１０に対して、その背面部の表示装置１０の長辺と平行な短辺を有しかつ表示装置１０の短辺と平行な長辺を有する長方形を矩形Ａ’’とする場合に、矩形Ａ’’の対向する頂点位置にある固定部材１１’’，１２’’に、ワイヤ２０を取り付けた場合を示している。この場合、回転プ―リー３０から表示装置の中心１４までの距離は、図１０（Ａ）に示す横置きの場合よりも図１０（Ｂ）に示す縦置きの場合の方が短くすることができる、例えば、矩形Ａ’’を１０ｃｍ×２５ｃｍの長方形にすれば、縦長で設置した際に２ｃｍ程画面の中心を上げることができる。
なお、縦横画面を切り替えるものとして、テーブル等に置く電子式フォトフレームがある。映像が縦長であっても横長であっても、フォトフレームの底面は、テーブルの面にある。本表示装置もフォトフレームと同様の機能を有する装置と考えられるので、表示装置の底辺の位置は同じ位置に来ることが望ましい。そのため、縦置きの際、中心を上にずらすことは有効である。
【００３６】
図１１は、長方形状の表示装置に対して、固定部材１１，１２と当接部材１３を設ける位置を種々変更可能にした表示装置の例を示す図である。
図１１（Ａ）、（Ｂ）に示す表示装置では、固定部材１１，１２と規制部材１３の取り付け位置の組、固定部材１１’，１２’と規制部材１３’の取り付け位置の組、または、固定部材１１’’，１２’’と規制部材１３ ’’の取り付け位置の組のいずれか一つの組を選択できるように、表示装置の背面部にそれぞれ固定部材と規制部材とを取付可能なボルト穴を設けている。ここで、横置きと縦置きの場合における表示装置の中心位置の関係は、固定部材１１，１２と規制部材１３の取り付け位置の組を選択した場合は図８で示したものと同様となり、固定部材１１’，１２’と規制部材１３’の取り付け位置の組を選択した場合は図９で示したものと同様となり、さらに、固定部材１１’’，１２’’と規制部材１３ ’’の取り付け位置の組を選択した場合は図１０で示したものと同様となる。
【００３７】
以上、本発明に係る表示装置について説明したが、表示装置１０を吊下げる回転プ―リー３０は複数あってもよく、これにより、表示装置１０の揺れに対する安定性が増す。また、表示装置１０の吊下げ部材としては、回転プ―リー３０ではなく単にフックの機能を有するものであってもよいことは言うまでもない。
【符号の説明】
【００３８】
１０…表示装置、１１，１２…固定部材、１３…規制部材、１４…表示装置の中心、２０…ワイヤ、２１…固定用金具、２２…取付孔、３０…回転プ―リー、３１…脱落防止カバー、４０…ワイヤ外れ防止プレート、５０…壁。
【図１】
2012220715.tif 000003
【図２】
2012220715.tif 000004
【図３】
2012220715.tif 000005
【図４】
2012220715.tif 000006
【図５】
2012220715.tif 000007
【図６】
2012220715.tif 000008
【図７】
2012220715.tif 000009
【図８】
2012220715.tif 000010
【図９】
2012220715.tif 000011
【図１０】
2012220715.tif 000012
【図１１】
2012220715.tif 000013